(57)【特許請求の範囲】
【請求項１】
景品把持部材を付勢して、景品を把持する付勢力を付与する付勢部材と、
この景品把持装置の左右方向の軸回りに回転し、前記付勢部材を支持し、前記付勢部材の支持位置に応じて前記付勢力を変更する付勢部材支持部と、
この景品把持装置の左右方向の軸回りに回転し、前記付勢部材支持部に接続され、回転に応じて前記付勢部材の前記支持位置を変更するウォームホイールと、
この景品把持装置の奥行方向の軸回りに回転し、前記ウォームホイールに噛み合い、その外部から前記奥行方向の前記軸回りに回転力を加えられることにより前記ウォームホイールを回転するウォームと、
を備える景品把持装置。
【請求項２】
請求項１に記載の景品把持装置において、
前記付勢部材支持部は、前記ウォームホイールの回転軸と同軸で回転移動すること、
を特徴とする景品把持装置。
【請求項３】
請求項１又は請求項２に記載の景品把持装置において、
前記ウォームは、その回転量が１回転以下で、前記付勢部材支持部の前記支持位置の移動ストロークを満足すること、
を特徴とする景品把持装置。
【請求項４】
請求項１から請求項３までのいずれか１項に記載の景品把持装置において、
この景品把持装置の奥行方向の軸回りに回転し、作業者によって回転操作されることにより、前記ウォームに回転力を加える回転操作部を備えること、
を特徴とする景品把持装置。
【請求項５】
請求項４に記載の景品把持装置において、
この景品把持装置の正面から視認可能であり、前記回転操作部の移動位置を示し、前記付勢部材支持部の移動位置に対応した指標を備えること、
を特徴とする景品把持装置。
【請求項６】
請求項５に記載の景品把持装置において、
前記景品把持部材は、この景品把持装置の左右にそれぞれ設けられ、
前記各景品把持部材に対応した前記付勢部材、前記付勢部材支持部、前記ウォームホイール、前記ウォーム、前記回転操作部、前記指標をそれぞれ備えること、
を特徴とする景品把持装置。
【請求項７】
請求項１から請求項６までのいずれか１項に記載の景品把持装置を備え、
前記景品把持装置が把持した景品を外部に払い出すこと、
を特徴とする景品払い出しゲーム機。
【発明の詳細な説明】
【技術分野】
【０００１】
本発明は、景品把持力を調整可能な景品把持装置及び景品払い出しゲーム機に関するものである。
【背景技術】
【０００２】
従来、景品をキャッチャに把持させて外部に払い出すいわゆるクレーンゲーム機があった（例えば、特許文献１）。このようなクレーンゲーム機のキャッチャは、把持力を調整するために、例えばバネ等の付勢力を調整していたが、調整時に付勢力の度合いが把握しにくく、操作性を向上したものが要求されてきた。
【特許文献１】特開２００７−２０７３６号公報
【発明の開示】
【発明が解決しようとする課題】
【０００３】
本発明の課題は、調整時に付勢力の度合いが把握しやすく、また操作性を向上した景品把持装置及び景品払い出しゲーム機を提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
【０００５】
請求項１の発明は、景品把持部材（２３Ｌ，２３Ｒ）を付勢して、景品（Ｇ）を把持する付勢力を付与する付勢部材（４１）と、この景品把持装置の左右方向の軸回りに回転し、前記付勢部材を支持し、前記付勢部材の支持位置（４２ｂ）に応じて前記付勢力を変更する付勢部材支持部（４２ａ）と、この景品把持装置の左右方向の軸回りに回転し、前記付勢部材支持部に接続され、回転に応じて前記付勢部材の前記支持位置を変更するウォームホイール（４２）と、この景品把持装置の奥行方向の軸回りに回転し、前記ウォームホイールに噛み合い、その外部から前記奥行方向の前記軸回りに回転力を加えられることにより前記ウォームホイールを回転するウォーム（４３）と、を備える景品把持装置である。
【０００６】
請求項２の発明は、請求項１に記載の景品把持装置において、前記付勢部材支持部（４２ａ）は、前記ウォームホイール（４２）の回転軸（Ｘ１）と同軸で回転移動すること、を特徴とする景品把持装置である。
請求項３の発明は、請求項１又は請求項２に記載の景品把持装置において、前記ウォーム（４３）は、その回転量が１回転以下で、前記付勢部材支持部（４２ａ）の前記支持位置（４２ｂ）の移動ストロークを満足すること、を特徴とする景品把持装置である。
請求項４の発明は、請求項１から請求項３までのいずれか１項に記載の景品把持装置において、この景品把持装置の奥行方向の軸回りに回転し、作業者によって回転操作されることにより、前記ウォーム（４３）に回転力を加える回転操作部（４４）を備えること、を特徴とする景品把持装置である。
請求項５の発明は、請求項４に記載の景品把持装置において、前記回転操作部（４４）の移動位置を示し、前記付勢部材支持部（４２ａ）の移動位置に対応した指標（４６）を備えること、を特徴とする景品把持装置である。
請求項６の発明は、請求項５に記載の景品把持装置において、前記景品把持部材は、この景品把持装置の左右にそれぞれ設けられ、前記各景品把持部材に対応した前記付勢部材、前記付勢部材支持部、前記ウォームホイール、前記ウォーム、前記回転操作部、前記指標をそれぞれ備えること、を特徴とする景品把持装置である。
【０００７】
請求項７の発明は、請求項１から請求項６までのいずれか１項に記載の景品把持装置を備え、前記景品把持装置（２０）が把持した景品（Ｇ）を外部に払い出すこと、を特徴とする景品払い出しゲーム機である。
なお、符号を付して説明した構成は、適宜改良してもよく、また、少なくとも一部を他の構成物に代替してもよい。
【発明の効果】
【０００８】
本発明によれば、以下の効果を奏することができる。
（１）本発明は、ウォームに対して外部から回転力を加え、ウォームホイールを回転させて、付勢部材の支持位置を変更するので、ウォームの回転に応じて付勢部材の付勢力を変更することができる。また、ウォーム及びウォームホイールを利用するので、付勢部材支持部に付勢力が働いてもウォームが回転することがないため、支持位置が変わることがない。さらに、付勢部材の伸長を視認することにより、付勢部材の付勢力を把握でき、操作性を向上することができる。
【０００９】
（２）本発明は、付勢部材支持部がウォームホイールの回転軸と同軸で回転移動するので付勢部材の支持位置がウォームホイールの回転軸回りに移動するため、付勢部材の支持位置の移動ストロークを大きくすることができる。
【００１０】
（３）本発明は、ウォームの回転量が１回転以下で、付勢部材支持部の支持位置の移動ストロークを満足するので、例えば送りねじ等を利用する場合に比べて、外部から加える回転量を少なくすることができる。
【００１１】
（４）本発明は、ウォームに回転力を加える回転操作部を備えるので、例えばモータ駆動等する場合に比べて、簡単な構造で操作性を向上することができる。また、構造を簡単にできるので、小型化、軽量化、部品削減によるコスト削減をすることができる。さらに、軽量化にともない制御しやすくなり、その上、揺れの発生を防止することができる。
【００１２】
（５）本発明は、直線操作部を備えるので、設置スペース等に応じて、直線操作部、又は上記（４）の回転操作部を利用するかを選択し、設計の幅を広げることができる。
【００１３】
（６）本発明は、回転操作部又は直線操作部の移動位置を示し、付勢部材支持部の移動位置に対応した指標を備えるので、作業者に対して付勢力を明確に告知することができる。
また、回転操作部を設け、上記（４）で説明したようにウォームの回転量を１回転以下に設定した場合には、回転操作部の移動位置に応じた付勢力を一意的に示すことができる。
一方、直線操作部を設けた場合には、回転操作部のように指標の範囲が３６０°に限定されることがない。これにより、ウォームを複数回転つまり１回転以上回転させる場合であっても、付勢力を一意的に示す指標を設けることができる。また、ギアの回転比の選択の幅を広げることができるので、設計の自由度を向上することができる。
【発明を実施するための最良の形態】
【００１４】
本発明は、調整時に付勢力の度合いが把握しやすく、また操作性を向上した景品把持装置及び景品払い出しゲーム機を提供するという目的を、ハンド部材を付勢して、景品を把持する付勢力を付与する付勢部材と、回転プレートに接続され、回転に応じて付勢部材の支持位置を変更するウォームホイールと、外部から回転力を加えられることによりウォームホイールを回転するウォームとを、キャッチャに備えることによって実現した。
【００１５】
（実施形態）
以下、図面等を参照して、本発明の実施形態について説明する。
図１は、本実施形態のゲーム機１を示す図であり、図１（ａ）は、正面図、図１（ｂ）は、側面図である。
ゲーム機１（景品払い出しゲーム機）は、ゲームセンタ等に設置される、左右方向（矢印Ｘ方向）の幅２ｍ程度、奥行き方向（矢印Ｙ方向）の長さ１．５ｍ程度、鉛直方向（矢印Ｚ方向）の高さ２ｍ程度のいわゆるクレーンゲーム機である。ゲーム機１は、内部にプレイフィールド２が設けられている。ゲーム機１は、プレイヤの操作に応じて、クレーンを模したキャッチャ２０（景品把持装置）が動作される。ゲーム機１は、プレイフィールド２内に載置された景品Ｇが、景品獲得孔８に搬送されたときに、景品Ｇを、景品獲得孔８に連通した景品払い出し口９から外部に払い出す。
【００１６】
図１に示すように、ゲーム機１は、プレイフィールド２と、ケース４と、ウィンド５と、操作部７と、景品獲得孔８と、景品払い出し口９と、キャッチャ駆動部１０と、キャッチャ２０と、を備えている。
プレイフィールド２は、景品Ｇを搬送するためにキャッチャ２０が、実際に動作される空間であり、景品Ｇを載置するテーブル２ａが設けられている。
ケース４は、ゲーム機１の筐体である。
ウィンド５は、ゲーム機１の外部とプレイフィールド２とを仕切るための部材であり、外部からプレイフィールド２が視認できるように、例えば、透明なアクリル、ガラス等により形成される。
【００１７】
操作部７は、プレイヤがキャッチャ２０を操作するための入力装置であり、移動ボタン、降下ボタン等から構成される。操作部７は、プレイヤが操作しやすいように、ケース１正面の操作パネル６に設けられている。
【００１８】
景品獲得孔８は、キャッチャ２０が落下させた景品Ｇを、景品払い出し口９へと払い出すために、プレイフィールド２のテーブル２ａに設けられた開口孔である。
景品払い出し口９は、景品獲得孔８に落下した景品Ｇを払い出すための景品獲得孔８に連通した開口孔である。景品払い出し口９は、プレイヤが景品Ｇを取り出しやすいように、ケース４の正面に設けられている。
【００１９】
キャッチャ駆動部１０は、プレイフィールド２内でキャッチャ２０を、水平面内（奥行方向及び左右方向）、鉛直方向に駆動するための装置である。キャッチャ駆動部１０は、キャッチャ２０を水平面内で移動させる移動レール１１Ｘ，１１ＹやＤＣモータ等を備える水平面内移動機構と、伸縮アーム１２を駆動してキャッチャ２０を鉛直方向に昇降させるＤＣモータ等を備える昇降機構等とから構成される。
伸縮アーム１２は、その一端がキャッチャ２０に接続されており、他の一端が移動レール１１Ｘ，１１Ｙ側に支持される。これにより、キャッチャ２０は、プレイフィールド２に吊り下げられるように設置される。なお、伸縮アーム１２は、キャッチャ２０を昇降して景品Ｇを拾い上げることができる構成であればよく、例えば、棒状の部材を伸縮可能とした構成、ワイヤを巻き上げる構成等を用いることができる。
【００２０】
キャッチャ２０は、プレイフィールド２に置かれた景品Ｇを搬送するためのクレーンを模した装置である。キャッチャ２０は、ハンド部材２３Ｌ，２３Ｒ（景品把持部材）を備えている。
ハンド部材２３Ｌ，２３Ｒは、互いに対向配置された腕状の部材であり、モータ２６（後述する）等により開閉駆動され、プレイフィールド２内に置かれた景品Ｇを把持した状態で、拾い上げることができるようになっている。
キャッチャ２０は、プレイ中以外のときは、プレイフィールド２内の景品獲得孔８の真上の位置Ｐ０に待機している。但し、設定により、キャッチャ２０が位置Ｐ０以外の位置に待機するようにしてもよい。プレイ時には、キャッチャ２０は、操作部７の操作に応じて移動先Ｐ１，Ｐ２等に移動した後、降下してハンド部材２２が開閉動作される。
【００２１】
図２は、本実施形態のキャッチャ２０の内部構造を示す正面図であり、ハンド部材２３Ｌ，２３Ｒが閉じた状態の図である。
図３は、本実施形態のキャッチャ２０の内部構造を示す正面図であり、ハンド部材２３Ｌ，２３Ｒが開いた状態の図である。
図４は、本実施形態のキャッチャ２０の内部構造を示す右側面である。
なお、図２〜図４は、内部構造を示すために、カバー２０ａ（図１参照）を取り外した状態を示す。また、図２、図３は、把持力調整機構４０の内部構成を示すために、正面のカバー４５を除いた状態を示す。
【００２２】
図２、図４に示すように、キャッチャ２０は、シャーシ２４と、回転力付与部２５と、回転移動部３０Ｌ，３０Ｒと、把持力調整機構４０Ｌ，４０Ｒを備えている。
なお、回転移動部３０Ｌ，３０Ｒは、左右対称の構成であるので、主に回転移動部３０Ｒついて説明し、回転移動部３０Ｌについては詳細な説明を省略する。把持力調整機構４０Ｌ，４０Ｒについても同様に、主に把持力調整機構４０Ｒについて説明する。
【００２３】
シャーシ２４は、キャッチャ２０の基部となる部材である。
回転力付与部２５は、回転移動部３０Ｌ，３０Ｒに、開閉駆動するための回転力を付与する装置である。回転力付与部２５は、モータ２６と、送りねじ２７と、スライダ２８とを備えている。
モータ２６は、例えばＤＣモータ等であり、制御部（図示せず）により制御される。
送りねじ２７は、モータ２６にギア列等を介して機械的に接続され、モータ２６により回転駆動される。送りねじ２７は、回転軸Ｚ１の方向が鉛直方向になるように配置される。
スライダ２８（原動部材）は、送りねじ２７に対して接続部（図示せず）を介して接続されており、送りねじ２７の回転に応じて鉛直方向に移動する。図２に示すように、スライダ２８の左下及び右下のコーナーの面は、円筒面状に形成されたフォロア面２８ａであり、回転移動部３０Ｌ，３０Ｒのカム面（後述する）に接している。
以上の構成により、回転力付与部２５は、モータ２６の回転力を、送りねじ２７を介してスライダ２８に伝達してスライダ２８を鉛直方向に往復移動させ、最終的に回転移動部３０Ｒに伝達して回転移動部３０Ｌ，３０Ｒを回転移動することができる。
【００２４】
回転移動部３０Ｒは、直方体の部材である。回転移動部３０Ｒは、内側上部のコーナーの面が、円筒面及び平面からなるカム面３０ａであり、スライダ２８のフォロア面２８ａに摺接する。回転移動部３０Ｒ（従動部材）は、奥行方向の回転軸Ｙ１回りに回転可能に設けられ、スライダ２８の上下移動にともない回転移動する（矢印θ１参照）。回転移動部３０Ｒの一端には、ハンド部材２３Ｒが取り付けられ、回転移動部３０Ｒの回転移動にともなって、ハンド部材２３Ｒが開閉駆動される（図３参照）。
また、回転移動部３０Ｒは、付勢部材４１（後述する）を引っ掛ける引っ掛けピン３１を備えている。
【００２５】
把持力調整機構４０Ｒは、付勢部材４１と、ウォームホイール４２と、ウォーム４３と、回転操作部４４と、指標４６（図２に示す把持力調整機構４０Ｌ参照）等と備えている。
付勢部材４１は、引っ張りコイルばねである。付勢部材４１は、一方の端部のフック４１ａが、回転移動部３０Ｒの引っ掛けピン３１に引っ掛けられており、もう一方の端部のフック４１ｂが、回転プレート４２ａの引っ掛け孔４２ｂ（後述する）に引っ掛けられている。これにより、付勢部材４１は、回転移動部３０Ｒの引っ掛けピン３１をウォームホイール４２側に引っ張り、ハンド部材２３Ｒを閉じ方向（矢印θ１右回り）に付勢して、ハンド部材２３Ｒに対して景品Ｇを把持する付勢力を付与する。
【００２６】
ウォームホイール４２は、回転軸Ｘ１の方向が左右方向になるように配置された歯車である。
ウォームホイール４２には、ウォームホイール４２と一体で回転する回転プレート４２ａ（付勢部材支持部）が設けられている。回転プレート４２ａには、付勢部材４１のフック４１ｂを引っ掛けて支持する引っ掛け孔４２ｂが設けられている。
ウォームホイール４２の回転に応じて、回転プレート４２ａは、ウォームホイール４２の回転軸Ｘ１と同軸に回転移動し、引っ掛け孔４２ｂは、鉛直方向の支持位置が移動する。これにより、付勢部材４１が伸縮して全長が変更され、ハンド部材２３Ｒに付与する閉じ方向への付勢力を変更することができる。
【００２７】
このように、本実施形態の回転プレート４２ａは、ウォームホイール４２と一体で回転移動するので、ハンド部材２３Ｒの付勢力を変更することができる。また、回転プレート４２ａは、引っ掛け孔４２ｂが回転軸Ｘ１から離れた位置に配置され、付勢部材４１の支持位置の回転半径が大きくされる程、付勢部材４１の支持位置の上端の位置と下端の位置との距離、つまり付勢部材４１の支持位置の移動ストロークが大きくなる。これにより、回転プレート４２ａは、付勢力の調整幅を大きくすることができる。
【００２８】
ウォーム４３は、回転軸Ｙ２の方向が奥行方向になるように配置されている。ウォーム４３は、ウォームホイールに噛み合っており、外部から回転力を加えられることによりウォームホイール４２を回転する。これにより、付勢部材４１の付勢力が変更される。
【００２９】
なお、ウォームホイール４２及びウォーム４３を利用することにより、回転プレート４２ａに付勢部材４１による付勢力が働き、ウォームホイール４２に回転力が加わっても、ウォームホイール４２は、回転することがない。このため、付勢力が働いても付勢部材４１の支持位置が変わることがなく、回転プレート４２ａは、付勢部材４１の付勢力を設定値に保つことができる。
また、作業者は、付勢部材４１の伸長を視認することにより、付勢部材４１の付勢力を把握でき、操作性を向上することができる。
【００３０】
本実施形態では、ウォーム４３の回転量が１回転以下で、付勢部材４１の支持位置の移動ストロークを満足するように、以下のように、減速比（回転比）と、回転プレート４２ａの支持位置つまり引っ掛け孔４２ｂの回転半径が設定されている。
本実施形態では、ウォーム４３の回転角度の範囲が２７０°であり、ウォーム４３が２７０°回転した場合にウォームホイール４２が３０°（図４に示す角度α参照）回転する。つまり、減速比が９（２７０／３０）である。また、回転半径が例えば４０ｍｍであり、移動ストロークが約２０ｍｍ（＝２・４０（ｍｍ）・π・３０／３６０）である。
【００３１】
このように、本実施形態では、ウォーム４３の回転量が１回転以下で、回転プレート４２ａの引っ掛け孔４２ｂの移動ストローク約２０ｍｍを満足する。これにより、ウォーム４３の回転量は、例えば送りねじ等を利用する場合に比べて少なくできるので、回転操作部４４を何回も回転させる必要がない。
【００３２】
ところで、通常、ウォームホイール及びウォームを利用する場合、減速比が大きいために、被駆動部の移動ストロークを十分に確保することが困難である。
これに対して、本実施形態の把持力調整機構４０Ｌは、引っ掛け孔４２ｂを回転移動させることにより、ウォームホイール４２及びウォーム４３を利用し減速比が大きくても、引っ掛け孔４２ｂの移動ストロークを満足することができる。
【００３３】
回転操作部４４は、ウォーム４３と一体で取り付けられた円柱状のつまみである。なお、回転操作部４４、後述する指標４６等は、正面図（図２，図３）においては、把持力調整機構４０Ｌを利用して説明する。
回転操作部４４の中心軸とウォーム４３の回転軸とは、同軸である。回転操作部４４は、回転操作されると、ウォーム４３に回転力を加え回転させる。回転操作部４４は、カバー４５よりも奥行方向手前側に配置されている。回転操作部４４の天面には、回転操作部４４の回転角度を示すための矢印４４ａが印刷等により示されている。
【００３４】
このように、本実施形態の把持力調整機構４０Ｌは、回転操作部４４によりウォーム４３に回転力を加えるので、例えばモータ駆動等により回転力を加える場合に比べて、構造を簡単にすることができ、コスト削減、小型化、軽量化することができる。
また、ウォーム４３をモータ駆動等する場合には、重量増加にともない大きな駆動力が必要となる。これに対して、把持力調整機構４０Ｌは、軽量化にともない、プレイフィールド２においてキャッチャ２０を移動させるための駆動力を低減することができる。これにより、ゲーム機１は、キャッチャ２０の制御を容易にできると同時に、キャッチャ２０の揺れの発生を防止することができる。
【００３５】
指標４６は、前面のカバー４５に印刷やシール等により示されている。指標４６は、回転操作部４４の矢印４４ａが回転移動する範囲に対応して、回転操作部４４の回転軸Ｙ２を中心に２７０°の範囲で設けられている。指標４６は、矢印４４ａ回転位置を示す目盛りが、４５°毎に設けられている。
これにより、回転プレート４２ａの引っ掛け孔４２ｂの移動位置は、回転操作部４４の回転位置に一意的に対応している。このため、指標４６は、回転操作部４４の回転位置を示すことにより、付勢部材４１による付勢力を、作業者に対してわかりやすくかつ明確に告知することできる。
また、ウォームホイール４２の回転移動量は、３０°と小さいので、回転プレート４２ａの引っ掛け孔４２ｂは、直線移動するとみなすことができる。このため、付勢力は、回転操作部４４の回転に応じて線形的に移動する。これにより、回転操作部４４の回転量に応じた付勢力の増加は、ほぼ一定になるため付勢力の調整がしやすく、操作性が向上する。
【００３６】
次に、把持力調整機構４０Ｌの動作について、説明する。
図４に示すように、回転プレート４２ａの引っ掛け孔４２ｂが、移動ストロークに中央にある場合には、図２に示すように、回転操作部４４の矢印４４ａは、鉛直方向上側を向いており、指標４６の中央のエリアを指している。
回転操作部４４が右回りに回転された場合には、ウォーム４３が軸Ｙ２右回りに回転し、図４に示すように、ウォームホイール４２及び回転プレート４２ａが軸Ｘ１左回りに回転する。これに応じて、回転プレート４２ａの引っ掛け孔４２ｂが鉛直方向下側に移動する。これにより、付勢部材４１の全長が短くなり、付勢部材４１の付勢力が小さくなるので、ハンド部材２３Ｒの閉じ方向（図２に示す矢印θ１右回り）の付勢力が小さくなり、把持力が小さくなる。
【００３７】
一方、図２に示すように、回転操作部４４が左回りに回転された場合には、上記とは逆向きに作用し、付勢部材４１の全長が長くなり、付勢部材４１の付勢力が大きくなるので、ハンド部材２３Ｒの把持力が大きくなる。
以上の付勢力の調整工程において、付勢力の大きさの程度は、回転操作部４４の矢印４４ａとカバー４５の指標４６とにより、明確に告知される。これにより、作業者は、把持力の大きさの程度の把握できる。また、ドライバ等の工具を必要とすることなく、回転操作部４４を回転するという簡単な操作で、把持力の大きさを調整することできる。
このように、本実施形態のキャッチャ２０は、付勢力つまり把持力の調整の操作性を向上することができる。
【００３８】
以上説明したように、本実施形態のキャッチャ２０は、構造を簡単にすることができ、コスト削減、小型化、軽量化することができる。また、簡単な操作で、ハンド部材２３Ｌ，２３Ｒの把持力の調整をすることができる。
【００３９】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４０】
（変形形態）
以上説明した実施形態に限定されることなく、種々の変形や変更が可能であって、それらも本発明の技術的範囲内である。
本実施形態において、ウォームは、回転操作部の操作により、直接回転される例を示したが、これに限定されない。例えば、回転操作部の代わりにピニオンギアを設け、さらに、このピニオンギアを回転させるラックギアからなる変換機構と、作業者がこのラックギアを直線移動するような操作部（直線操作部）とを設けてもよい。この場合、ラックギアの直線移動が回転移動に変換されて、ウォームが回転移動される。つまり、操作部に加えられた操作力が回転力に変換されてウォームへと伝達され、ウォームが回転される。
この場合にも、操作部の移動位置に応じた回転プレートの引っ掛け孔の位置は、一意的に決まる。さらに、回転操作部のように指標の範囲が３６０°に限定されることがない。これにより、この場合には、ウォームを複数回転つまり１回転以上回転させる場合であっても、付勢力を一意的に示す指標を設けることができる。また、ギアの回転比の選択の幅を広げることができるので、設計の自由度を向上することができる。
【図面の簡単な説明】
【００４１】
【図１】本実施形態のゲーム機を示す正面図及び側面図である。
【図２】本実施形態のキャッチャの内部構造を示す正面図であり、ハンド部材が閉じた状態の図である。
【図３】本実施形態のキャッチャの内部構造を示す正面図であり、ハンド部材が開いた状態の図である。
【図４】本実施形態のキャッチャの内部構造を示す右側面である。
【符号の説明】
【００４２】
１  ゲーム機
１０  キャッチャ駆動部
２０  キャッチャ
２３Ｌ，２３Ｒ  ハンド部材
２５  回転力付与部
２６  モータ
２７  送りねじ
２８  スライダ
３０Ｌ，３０Ｒ  回転移動部
３１  引っ掛けピン
４０Ｌ，４０Ｒ  把持力調整機構
４１  付勢部材
４２  ウォームホイール
４２ａ  回転プレート
４２ｂ  引っ掛け孔
４３  ウォーム
４４  回転操作部
４５  カバー
４６  指標
【図１】
0005065064.tif 000002
【図２】
0005065064.tif 000003
【図３】
0005065064.tif 000004
【図４】
0005065064.tif 000005